(57)【要約】【課題】発信者の広告画像を携帯電話画面に表示することで、顧客が発信者企業を視覚的に確認したうえで安心して電話に出るよう促す。【解決手段】多くのシステム利用者の各携帯電話に、公衆回線網側から起動可能な画像表示プログラムを装備しておく。多くの広告主の識別可能な画像データがあらかじめ登録・保存される画像ファイルサーバを備える。登録された任意の広告主の電話機から任意のシステム利用者の携帯電話へのダイヤル接続要求に応じて、当該広告主の電話機と当該システム利用者の携帯電話とが公衆回線網を介して接続開始される際、公衆回線網から当該携帯電話の呼出信号を発するのに先立って当該携帯電話の画像表示プログラムを起動させる起動信号を発し、起動させた当該携帯電話の画像表示プログラムにより、画像ファイルサーバに登録・保存されている当該広告主の識別可能な画像データを表示させ、これに続いて当該携帯電話の呼出信号を発する。【選択図】図２
2008048120.tif 000002
【特許請求の範囲】
【請求項１】
公衆回線網を用いて携帯電話画面に広告を表示するシステムであって、
システム利用者の各携帯電話に、前記公衆回線網側から起動可能な画像表示プログラムを装備しておき、
多くの広告主の識別可能な画像データがあらかじめ登録・保存される画像ファイルサーバを備え、
登録された任意の広告主の電話機から任意のシステム利用者の携帯電話へのダイヤル接続要求に応じて、当該広告主の電話機と当該システム利用者の携帯電話とが前記公衆回線網を介して接続開始される際、前記公衆回線網から当該携帯電話の呼出信号を発するのに先立って当該携帯電話の前記画像表示プログラムを起動させる起動信号を発し、起動させた当該携帯電話の画像表示プログラムにより、前記画像ファイルサーバに登録・保存されている当該広告主の識別可能な画像データを表示させ、これに続いて当該携帯電話の呼出信号を発するようにしたことを特徴とする携帯電話を用いた広告システム。
【請求項２】
前記公衆回線網は着信側加入者交換機を含み、前記着信側加入者交換機から前記携帯電話へ前記画像表示プログラムの起動信号を送出し、当該携帯電話から前記公衆回線網へ一次応答信号が返されると、当該着信側加入者交換機から前記画像ファイルサーバへ信号を送り、当該画像ファイルサーバから当該携帯電話へ前記広告主の識別可能な画像データを送出して表示させることを特徴とする請求項１記載の携帯電話を用いた広告システム。
【発明の詳細な説明】
【技術分野】
【０００１】
この発明は、携帯電話を用いた広告システム、特に、公衆回線網を用いて携帯電話画面に広告を表示するシステムに関するものである。
【背景技術】
【０００２】
一般に、携帯電話の利用者が発信者を特定するには、発信者側による電話番号通知か、または受信者自身によるアドレス帳への登録に依存している。
【０００３】
そのため、見覚えの無い電話番号や、未登録の相手からの電話には出たくないという心理が働き、円滑なコミュニケーションを行う上で、発信者、受信者双方にデメリットとなっている。
【０００４】
また、俗に言う「ワン切り」や「なりすまし」などの社会的な問題を引き起こす遠因ともなっている。
【発明の開示】
【発明が解決しようとする課題】
【０００５】
一方、企業の営業サイドからみると、顧客が持つ携帯電話に対して営業的アプローチを行うには、テレマーケティングの電話を掛けるか、または携帯のメールアドレスにｅメールを送信するという方法しかなかった。
【０００６】
この場合も、その電話番号が顧客に登録されていなければ、電話に出てもらえる可能性はかなり低く、また、顧客のメールアドレスが不明であれば当然ｅメールの送信は不可能である。
【０００７】
したがって、それまで取り引きがない顧客相手には、携帯電話に対する営業的アプローチの道は事実上閉ざされているといっても過言ではない。
【０００８】
この発明は、上記課題を解決するために為されたものであり、企業側から一般の顧客が持つ携帯電話に対して電話を掛ける際、呼出音に先立ってその企業からのコールであることを示す広告画像を携帯電話画面に表示することで、顧客が発信者企業を視覚的に確認したうえで安心して電話に出るよう促すことのできる携帯電話を用いた広告システムを提供することを目的とする。
【課題を解決するための手段】
【０００９】
この発明の請求項１に係る携帯電話を用いた広告システムは、公衆回線網を用いて携帯電話画面に広告を表示するシステムであって、システム利用者の各携帯電話に、前記公衆回線網側から起動可能な画像表示プログラムを装備しておき、多くの広告主の識別可能な画像データがあらかじめ登録・保存される画像ファイルサーバを備え、登録された任意の広告主の電話機から任意のシステム利用者の携帯電話へのダイヤル接続要求に応じて、当該広告主の電話機と当該システム利用者の携帯電話とが前記公衆回線網を介して接続開始される際、前記公衆回線網から当該携帯電話の呼出信号を発するのに先立って当該携帯電話の前記画像表示プログラムを起動させる起動信号を発し、起動させた当該携帯電話の画像表示プログラムにより、前記画像ファイルサーバに登録・保存されている当該広告主の識別可能な画像データを表示させ、これに続いて当該携帯電話の呼出信号を発するようにしたことを特徴とするものである。
【００１０】
この発明の請求項２に係る携帯電話を用いた広告システムは、請求項１記載の携帯電話を用いた広告システムにおいて、前記公衆回線網は着信側加入者交換機を含み、前記着信側加入者交換機から前記携帯電話へ前記画像表示プログラムの起動信号を送出し、当該携帯電話から前記公衆回線網へ一次応答信号が返されると、当該着信側加入者交換機から前記画像ファイルサーバへ信号を送り、当該画像ファイルサーバから当該携帯電話へ前記広告主の識別可能な画像データを送出して表示させることを特徴とするものである。
【発明の効果】
【００１１】
この発明は以上のように、システム利用者の各携帯電話に、前記公衆回線網側から起動可能な画像表示プログラムを装備しておき、多くの広告主の識別可能な画像データがあらかじめ登録・保存される画像ファイルサーバを備え、登録された任意の広告主の電話機から任意のシステム利用者の携帯電話へのダイヤル接続要求に応じて、当該広告主の電話機と当該システム利用者の携帯電話とが前記公衆回線網を介して接続開始される際、前記公衆回線網から当該携帯電話の呼出信号を発するのに先立って当該携帯電話の前記画像表示プログラムを起動させる起動信号を発し、起動させた当該携帯電話の画像表示プログラムにより、前記画像ファイルサーバに登録・保存されている当該広告主の識別可能な画像データを表示させ、これに続いて当該携帯電話の呼出信号を発するようにしたので、広告主企業側から一般の顧客が持つ携帯電話に対して電話を掛ける際、呼出音に先立ってその企業からのコールであることを示す広告画像を携帯電話画面に表示することができ、これにより、顧客が発信者企業（広告主企業）を視覚的に確認したうえで安心して電話に出るよう促すことができる。
【発明を実施するための最良の形態】
【００１２】
この発明の実施の形態を、図面を参照して説明する。
【００１３】
図１は、この発明による携帯電話を用いた広告システムの一実施形態を示すブロック図であり、この携帯電話を用いた広告システム１は、公衆回線網を用いて携帯電話画面に広告を表示するシステムである。
【００１４】
すなわち、この携帯電話を用いた広告システム１は、多くの広告主（広告主企業）１０（１０ａ，１０ｂ，…１０ｍ）の電話機１１（１１ａ，１１ｂ，…１１ｍ）と、多くのシステム利用者（顧客）２０（２０ａ，２０ｂ，…２０ｎ）の携帯電話２１（２１ａ，２１ｂ，…２１ｎ）とが繋がる公衆回線網（電話回線網）３０に、画像ファイルサーバ４０と、システムコントローラ５０とを接続したものである。
【００１５】
システム利用者（顧客）２０（２０ａ，２０ｂ，…２０ｎ）の携帯電話２１（２１ａ，２１ｂ，…２１ｎ）には、表示画面２２（２２ａ，２２ｂ，…２２ｎ）が備えられ、また、公衆回線網（電話回線網）３０側から起動可能なブラウザなどの画像表示プログラム２３（２３ａ，２３ｂ，…２３ｎ）を装備しておく。
【００１６】
画像ファイルサーバ４０には、広告主（広告主企業）１０（１０ａ，１０ｂ，…１０ｍ）の識別可能な画像データ（広告画像データ）をあらかじめ登録し、保存しておく。
【００１７】
システムコントローラ５０は、広告主（広告主企業）１０（１０ａ，１０ｂ，…１０ｍ）の電話機１１（１１ａ，１１ｂ，…１１ｍ）と、システム利用者（顧客）２０（２０ａ，２０ｂ，…２０ｎ）の携帯電話２１（２１ａ，２１ｂ，…２１ｎ）との回線接続を公衆回線網（電話回線網）３０が実行するとき、あらかじめ決められた手順にしたがって、携帯電話２１（２１ａ，２１ｂ，…２１ｎ）の画像表示プログラム２３（２３ａ，２３ｂ，…２３ｎ）を起動させて、画像ファイルサーバ４０に登録・保存されている広告主（広告主企業）１０（１０ａ，１０ｂ，…１０ｍ）の識別可能な画像データ（広告画像データ）を表示画面２２（２２ａ，２２ｂ，…２２ｎ）に表示させるものである。
【００１８】
図２は、図１に示す広告システム１の主要部を説明するための概略的構成図であり、公衆回線網（電話回線網）３０は、広告主（広告主企業）１０の電話機１１が加入者線で接続された発信側の加入者交換機（ＬＳ：Local Switch局、又は市内電話局）３１と、中継線交換機（ＴＳ：Toll Switch）３２と、着信側の加入者交換機（ＬＳ：Local Switch局、又は市内電話局）３３とを備えている。
【００１９】
公衆回線網（電話回線網）３０は、さらに、着信側加入者交換機（ＬＳ）３３と接続された携帯電話用基地局３４を備え、システム利用者（顧客）２０の携帯電話２１は、この携帯電話用基地局３４との間の無線送受信により、公衆回線網（電話回線網）３０と接続される。
【００２０】
上記のように構成された携帯電話を用いた広告システム１について、図１〜図３を参照してさらに詳しく説明する。
【００２１】
１．画像データの登録
広告主（広告主企業）１０（１０ａ，１０ｂ，…１０ｍ）は、画像ファイルサーバ４０に、自社のロゴマークや商品のＰＲ画像データ（仮称：コール・ページ）を予め登録しておく。登録されたロゴマークやＰＲ画像データは、各広告主（広告主企業）１０（１０ａ，１０ｂ，…１０ｍ）の電話番号（電話機１１（１１ａ，１１ｂ，…１１ｍ））で検索可能に登録される。
【００２２】
２．待機状態
発信側加入者交換機（ＬＳ）３１から広告主（広告主企業）１０（１０ａ，１０ｂ，…１０ｍ）の電話機１１（１１ａ，１１ｂ，…１１ｍ）に加入者線が引かれていて、待機状態では電流が流れておらず、代わりに４８Ｖの直流電圧が局給電されている。
【００２３】
３．発呼検出
広告主（広告主企業）１０（１０ａ，１０ｂ，…１０ｍ）側で、電話機１１（１１ａ，１１ｂ，…１１ｍ）のハンドセットを上げ、オフフック状態にする。すると電話機１１（１１ａ，１１ｂ，…１１ｍ）のスイッチが閉じ、発信側加入者交換機（ＬＳ）３１から電話機１１（１１ａ，１１ｂ，…１１ｍ）に直流電流が流れる。
【００２４】
４．番号受付準備
発信側加入者交換機（ＬＳ）３１から発信者広告主（広告主企業）１０（１０ａ，１０ｂ，…１０ｍ）の電話機１１（１１ａ，１１ｂ，…１１ｍ）に４００Ｈｚの信号（ダイヤルトーン）が送られ、ダイヤルをして良いことを知らせる。
【００２５】
５．番号受信
発信者広告主（広告主企業）１０（１０ａ，１０ｂ，…１０ｍ）が接続先の番号をプッシュして発呼信号を送り、公衆回線網（電話回線網）３０側に接続先を指定する。すなわち、電話機１１（１１ａ，１１ｂ，…１１ｍ）側からダイヤルパルス（ＤＰ信号）を送り、発信側加入者交換機（ＬＳ）３１に発呼信号を送る。
【００２６】
６．回線の確保
発信側加入者交換機（ＬＳ）３１は、着信側加入者交換機（ＬＳ）３３までの空回線を確保するまであらゆるルートを調べ上げ、検出すると中継線交換機（ＴＳ）３２を経由して、着信側加入者交換機（ＬＳ）３３まで接続する。
【００２７】
７．画像データの呼び出し
着信側加入者交換機（ＬＳ）３３から、携帯電話用基地局３４を介して、着信携帯電話２１（２１ａ，２１ｂ，…２１ｎ）の画像表示プログラム２３（２３ａ，２３ｂ，…２３ｎ）へ起動信号を送出する。着信携帯電話２１（２１ａ，２１ｂ，…２１ｎ）の画像表示プログラム２３（２３ａ，２３ｂ，…２３ｎ）は、この信号を検出すると、一次応答信号を公衆回線網（電話回線網）３０側に返送する。
【００２８】
８．画像データの送出、表示
着信側加入者交換機（ＬＳ）３３は、着信携帯電話２１（２１ａ，２１ｂ，…２１ｎ）から一次応答信号を受信すると、発信者広告主（広告主企業）１０（１０ａ，１０ｂ，…１０ｍ）の電話番号（電話機１１（１１ａ，１１ｂ，…１１ｍ））に基づいて、当該発信者広告主（広告主企業）１０（１０ａ，１０ｂ，…１０ｍ）の画像データが登録されている画像ファイルサーバ４０に信号を転送する。画像ファイルサーバ４０から着信携帯電話２１（２１ａ，２１ｂ，…２１ｎ）へ、発信者広告主（広告主企業）１０（１０ａ，１０ｂ，…１０ｍ）の画像データを送出し、表示画面２２（２２ａ，２２ｂ，…２２ｎ）に表示させる。
【００２９】
９．呼出中
着信側加入者交換機（ＬＳ）３３から１６Ｈｚ７５Ｖの信号を送り、着信携帯電話２１（２１ａ，２１ｂ，…２１ｎ）のベルを鳴らす。これと同時に、発信者広告主（広告主企業）１０（１０ａ，１０ｂ，…１０ｍ）の電話機１１（１１ａ，１１ｂ，…１１ｍ）に４００Ｈｚの断続信号（リングバックトーン）を送り、呼出中であることを知らせる。着信者が話中の場合、着信側加入者交換機（ＬＳ）３３は、ビジートーンを発信者広告主（広告主企業）１０（１０ａ，１０ｂ，…１０ｍ）の電話機１１（１１ａ，１１ｂ，…１１ｍ）に返す。
【００３０】
１０．応答検出
着信携帯電話２１（２１ａ，２１ｂ，…２１ｎ）のシステム利用者（顧客）２０（２０ａ，２０ｂ，…２０ｎ）が着信ボタンを押し、オフフック状態にする。すると着信携帯電話２１（２１ａ，２１ｂ，…２１ｎ）のスイッチが閉じ、着信側加入者交換機（ＬＳ）３３から着信携帯電話２１（２１ａ，２１ｂ，…２１ｎ）に直流電流が流れ、着信携帯電話２１（２１ａ，２１ｂ，…２１ｎ）から着信側加入者交換機（ＬＳ）３３に応答信号を返す。
【００３１】
１１．課金開始
着信側加入者交換機（ＬＳ）３３は、着信携帯電話２１（２１ａ，２１ｂ，…２１ｎ）から応答信号を受信すると、次に、発信側加入者交換機（ＬＳ）３１に応答信号と課金信号を送信する。同時に、リングバックトーンを終了させる。実際には、着信側、発信側加入者交換機（ＬＳ）３３，３１間の応答信号、課金信号などの制御信号は、共通線信号網を通り、サーバー機能であるＮＳＰ（Network Service Point）に送信され、データベースであるＮＳＳＰ（Network Service Support Point）に問い合わせ、ＮＳＰで計算処理等を行う。
【００３２】
１２．通話中
発信側加入者交換機（ＬＳ）３１が応答信号、課金信号を受信すると、発信側加入者交換機（ＬＳ）３１が課金をスタートさせ、通話開始となる。
【００３３】
１３．切断
広告主（広告主企業）１０（１０ａ，１０ｂ，…１０ｍ）側で、電話機１１（１１ａ，１１ｂ，…１１ｍ）のハンドセットを下ろし、オンフックすると、電話機１１（１１ａ，１１ｂ，…１１ｍ）のスイッチが切れて電流が流れなくなり、切断される。
【００３４】
次に、図４を参照して、上記の広告システム１の作用を順を追って説明する（各部の符号は図１、図２参照）。この広告システム１の作用は、２つに大別される。１つは、広告主（広告主企業）１０による画像ファイルサーバ４０への画像データの登録であり、もう１つは、広告主（広告主企業）１０からシステム利用者（顧客）２０の携帯電話２１への画像データの表示である。
【００３５】
図４は、このような画像データの登録と、画像データの表示とをまとめて表現しているため、通常のフローチャートの表現とは異なっているが、以下に、フローチャートを用いた場合と同様の説明をする。
【００３６】
＜画像データの登録について＞
まず、広告主企業１０が画像データの登録操作を行う（ステップＳ１）。
【００３７】
つぎに、システムコントローラ５０が、画像データの登録審査、電話番号契約者確認、登記事業内容と画像が適切かどうか、を行う（ステップＳ２）。
【００３８】
これらがすべて満たされている場合（ステップＳ２のＹＥＳ）、システムコントローラ５０が、画像ファイルサーバ４０に画像データを登録する（ステップＳ３）。
【００３９】
どれか１つでも満たされない場合（ステップＳ２のＮＯ）、システムコントローラ５０は、ステップＳ１に戻って広告主企業１０にやり直しを促す。
【００４０】
＜画像データの表示について＞
まず、発信者側企業（広告主企業）１０が、着信者である顧客（Ａさん）２０の携帯電話２１の電話番号をダイヤルする（ステップＳ１１）。
【００４１】
つぎに、発信者（広告主企業）１０側の加入者線交換機３１が、着信者である顧客（Ａさん）２０の携帯電話２１の電話番号を受信する（ステップＳ１２）。
【００４２】
つぎに、加入者線交換機３１は、回線網３０に顧客（Ａさん）２０の携帯電話２１への接続要求信号を送出する（ステップＳ１３）。
【００４３】
つぎに、信号を受け取った中継交換機３２は、着信側の交換機３３を識別。接続要求信号を着信側加入者線交換機３３に転送する（ステップＳ１４）。
【００４４】
つぎに、接続要求信号を受信した着信側交換機３３は、着信者である顧客（Ａさん）２０の携帯電話２１が通話できるかどうかを確認する（ステップＳ１５）。
【００４５】
つぎに、信号をやり取りした各交換機３１，３３は各交換機間の通話パスを予約。呼び出し音の伝送や通話の準備を開始する（ステップＳ１６）。
【００４６】
つぎに、着信側交換機３３は、着信者である顧客（Ａさん）２０の携帯電話２１が空き状態であれば、顧客（Ａさん）２０の携帯電話２１の画像表示プログラム２３へ起動信号を送出する（ステップＳ１７）。
【００４７】
つぎに、顧客（Ａさん）２０の携帯電話２１は、画像表示プログラム２３を起動し一次応答信号を返送する（ステップＳ１８）。
【００４８】
つぎに、一次応答信号を受け取った着信側交換機３３は、画像データが登録されている画像ファイルサーバ４０に信号を転送する（ステップＳ１９）。
【００４９】
つぎに、画像ファイルサーバ４０が、信号受信・検索・抽出・送出制御プログラムを実行する（ステップＳ２０）。すなわち、発信者（広告主企業）１０の電話番号（電話機１１）に基づいて、その発信者（広告主企業）１０の登録されている画像データを検索・抽出し、この画像データを、顧客（Ａさん）２０の電話番号（携帯電話２１）に向けて送出する。
【００５０】
つぎに、画像ファイルサーバ４０から発信者（広告主企業）１０が登録した画像データを、顧客（Ａさん）２０の携帯電話２１が受信。受信した旨の二次応答信号を着信側交換機３３に返送する（ステップＳ２１）。
【００５１】
つぎに、二次応答信号を受け取った着信側交換機３３は、顧客（Ａさん）２０の携帯電話２１を呼び出し、発信者側（広告主企業）１０の電話機１１に呼び出し音を送出する（ステップＳ２２）。
【００５２】
つぎに、呼び出された顧客（Ａさん）２０は、呼び出し音と共に表示画面２２に表示された発信者側（広告主企業）１０の画像データを確認。発信者側（広告主企業）１０の企業名を確認後、通話を開始する（ステップＳ２３）。
【００５３】
以上のように、この発明によれば、広告主企業側から一般の顧客が持つ携帯電話に対して電話を掛ける際、呼出音に先立ってその企業からのコールであることを示す広告画像を携帯電話画面に表示することができ、これにより、顧客が発信者企業（広告主企業）を視覚的に確認したうえで安心して電話に出るよう促すことができる。
【００５４】
また、この発明によれば、企業は、顧客が通話を開始する、しないに関わらず、企業自身の告知、商品のＰＲなどを画像で表示することができるようになり、完全なＯｎｅ_ｔｏ_ＯｎｅでのＰＲが可能となる。
【００５５】
また、最近問題の「なりすまし」などを防止するため、通信事業者、回線事業者またはプロバイダ等が電話番号の登録事業者の登記上の事業活動と画像データの整合性を審査し、企業名を必ず明記させるなど、登録ルールを厳密に管理することにより、携帯電話を利用した詐欺などの抑止効果が期待できる。
【００５６】
また、衰退している固定電話会社の新たな収入源として法人需要を開拓でき、通信事業者、利用企業、そして企業の顧客にも、それぞれメリットのあるシステムとなる。
【００５７】
さらに、企業や団体が慈善事業とタイアップすることにより、通話料の一部を特定の団体や事業に寄付する旨を顧客にアピールするなど、社会貢献活動などの新たな告知、募金活動の手段としても活用が見込まれる。
【図面の簡単な説明】
【００５８】
【図１】この発明による携帯電話を用いた広告システムの一実施形態を示すブロック図である。
【図２】図１に示す広告システムの主要部を説明するための概略的構成図である。
【図３】発信者の画像データを表示するための接続手順を示す説明図である。
【図４】この発明による広告システムの作用を示す説明図である。
【符号の説明】
【００５９】
１  携帯電話を用いた広告システム
１０（１０ａ，１０ｂ，…１０ｍ）  広告主（広告主企業）
１１（１１ａ，１１ｂ，…１１ｍ）  電話機
２０（２０ａ，２０ｂ，…２０ｎ）  システム利用者（顧客）
２１（２１ａ，２１ｂ，…２１ｎ）  携帯電話
２２（２２ａ，２２ｂ，…２２ｎ）  表示画面
２３（２３ａ，２３ｂ，…２３ｎ）  画像表示プログラム
３０  公衆回線網（電話回線網）
３１  発信側加入者交換機（ＬＳ：Local Switch局、又は市内電話局）
３２  中継線交換機（ＴＳ：Toll Switch）
３３  着信側加入者交換機（ＬＳ：Local Switch局、又は市内電話局）
３４  携帯電話用基地局
４０  画像ファイルサーバ
５０  システムコントローラ
【図１】
2008048120.tif 000003
【図２】
2008048120.tif 000004
【図３】
2008048120.tif 000005
【図４】
2008048120.tif 000006